(57)【要約】【課題】画像表示装置と表示制御基板との間に電磁波を遮断するシールド部材を配設した遊技機において、シールド部材の製造を容易として製造コストを低減するとともに、電磁的なシールドを強化する。【解決手段】画像表示装置５４と、該画像表示装置５４の背面側に取り付けられた表示制御基板２００とを備える。画像表示装置５４と表示制御基板２００との間に電磁波を遮断するシールド部材２０を配設する。電気的接続部（表示制御基板固定ボス部２１、画像表示装置固定ボス部２５）を用いて、シールド部材２０に対して、画像表示装置５４および表示制御基板２００を電気的に接続する。シールド部材２０は、導電性プラスチックにより形成する。【選択図】          図１
2004202087.tif 000002
【特許請求の範囲】
【請求項１】
画像表示装置と、該画像表示装置の背面側に取り付けられた表示制御基板とを備えるとともに、
前記画像表示装置と前記表示制御基板との間に電磁波を遮断するシールド部材を配設し、
前記シールド部材に対して、前記画像表示装置および前記表示制御基板を電気的に接続した遊技機において、
前記シールド部材は、導電性プラスチックにより形成されていることを特徴とする遊技機。
【請求項２】
前記シールド部材は、遊技機本体に取り付けるための取付部が設けられていることを特徴とする請求項１記載の遊技機。
【請求項３】
前記シールド部材は、前記画像表示装置側あるいは前記表示制御基板側の少なくとも一方に補強リブが設けられていることを特徴とする請求項１または２記載の遊技機。
【発明の詳細な説明】
【０００１】
【発明の属する技術分野】
本発明は、遊技機に関し、特に、画像表示装置と、該画像表示装置の背面側に取り付けられた表示制御基板とを備えた遊技機に関する。
【０００２】
【従来の技術】
従来、パチンコ機等の遊技機には、遊技盤の前面側に液晶表示装置等からなる画像表示装置を配設し、この画像表示装置において、特別図柄の変動表示を行うとともに演出画像を表示するようにしたものがある。
このような従来の遊技機では、画像表示装置と、この画像表示装置を制御する制御基板とが電磁的に干渉しあったり、外部からの電磁波の影響を受けて誤動作することを防止するため、画像表示装置と制御基板との間にシールド部材を配設し、シールド部材と、画像表示装置および制御基板とを電気的に接続したものがある（例えば特許文献１参照）。
【０００３】
【特許文献１】
特開２０００−８４１９６号公報（第３頁、図６）
【０００４】
【発明が解決しようとする課題】
しかしながら、上述した従来の遊技機では、シールド部材が金属板により形成されているため、製造時に切り込み加工および曲げ加工等が必要であり、製造コストが上昇するという問題があった。
【０００５】
また、画像表示装置および制御基板をシールド部材に所定間隔をもって取り付けるためのボス部材を別途用意しなければならず、この点においても製造コストが上昇するという問題があった。
さらに、切り込み加工をした部分から電磁波が漏洩するおそれがあり、電磁的なシールドが不完全であるという問題もあった。
【０００６】
本発明は、上述した事情に鑑み提案されたもので、画像表示装置と表示制御基板との間に電磁波を遮断するシールド部材を配設した遊技機において、シールド部材の製造を容易として製造コストを低減するとともに、電磁的なシールドを強化することを目的とする。
【０００７】
【課題を解決するための手段】
本発明に係る遊技機は、上述した目的を達成するため、以下の特徴点を備えている。なお、本発明に係る遊技機の各構成要素について、図面に付した符号を参照して、具体的な適用例を示すが、各構成要素はこれらに限定されるものではない。
【０００８】
すなわち、本発明に係る遊技機（パチンコ機１）は、画像表示装置（５４）と、該画像表示装置（５４）の背面側に取り付けられた表示制御基板（２００）とを備えるとともに、
前記画像表示装置（５４）と前記表示制御基板（２００）との間に電磁波を遮断するシールド部材（２０）を配設し、
前記シールド部材（２０）に対して、前記画像表示装置（５４）および前記表示制御基板（２００）を電気的に接続した遊技機において、
前記シールド部材（２０）は、導電性プラスチックにより形成されていることを特徴とするものである。
【０００９】
なお、画像表示装置（５４）および表示制御基板（２００）は、電気的接続部（表示制御基板固定ボス部２１、画像表示装置固定ボス部２５）を用いて、シールド部材（２０）に電気的に接続されている。
【００１０】
このような構成からなる遊技機（パチンコ機１）では、シールド部材（２０）を製造する際に、切り込み加工および曲げ加工等の作業を行う必要がないとともに、画像表示装置（５４）および表示制御基板（２００）を取り付けるためのボス部材を別途用意する必要がないため、製造コストを低減することができる。また、シールド部材（２０）により、画像表示装置（５４）と表示制御基板（２００）との間で電磁波が確実に遮断されるため、画像表示装置（５４）と表示制御基板（２００）とが電磁的に干渉しあったり、外部からの電磁波の影響を受けて誤動作するおそれがない。
【００１１】
また、本発明に係る遊技機（パチンコ機１）において、前記シールド部材（２０）は、遊技機本体に取り付けるための取付部（取付ボス部２４）を設けることが可能である。
【００１２】
このような構成からなる遊技機（パチンコ機１）では、取付部（取付ボス部２４）を遊技機本体に取り付けるだけで、一体化されたシールド部材（２０）と画像表示装置（５４）と表示制御基板（２００）の遊技機取付が一度に完了するため、組み付け作業を容易に行うことができる。
【００１３】
また、本発明に係る遊技機（パチンコ機１）において、前記シールド部材（２０）は、前記画像表示装置（５４）側あるいは前記表示制御基板（２００）側の少なくとも一方に補強リブ（２６）を設けることが可能である。
【００１４】
このような構成からなる遊技機（パチンコ機１）では、補強リブ（２６）によりシールド部材（２０）の強度を高めることができ、画像表示装置（５４）および表示制御基板（２００）に外部から力が加わった場合であっても、画像表示装置（５４）および表示制御基板（２００）を安定して支持することができる。
また、補強リブ（２６）を設けることによりシールド部材（２０）の表面積が増加し、導電性プラスチックの特性に基づいて静電気を効率よく除去することができる。
【００１５】
【発明の実施の形態】
以下、図面を参照して、本発明に係る遊技機の実施形態を説明する。
なお、以下に示す実施形態では、代表的な遊技機であるパチンコ機を例にとって説明を行う。
【００１６】
＜パチンコ機の概略構成＞
図８および図９は、本発明の一実施形態に係るパチンコ機を示すもので、図８はパチンコ機の正面図、図９はパチンコ機の斜視図である。
本発明の一実施形態に係るパチンコ機１は、図８および図９に示すように、遊技機本体の一部として機能する外枠２と、この外枠２の上半部に開閉可能に取り付けられたフロントドア３を備えており、その下方には操作部４が設けられている。
【００１７】
操作部４には、遊技に使用する遊技球を貯留するとともに賞として払い出される遊技球を受け入れる上皿５と、上皿５からオーバーフローした遊技球を受け入れる下皿６とが上下に並べて取り付けられている。また、下皿６の右側には遊技球の発射操作を行う発射ハンドル７が設けられ、下皿６の左側には灰皿８が設けられている。さらに、上皿５には、当該パチンコ機１における球貸操作等を行う操作パネル９が設けられている。
【００１８】
また、フロントドア３には、遊技部を前方側から覆うようにしてガラス板等からなる透明板１６が取り付けられており、フロントドア３の上部前面には遊技盤が取り付けられている。
さらに、フロントドア３には、遊技部の周囲前方に位置するようにして装飾枠１０が設けられており、装飾枠１０の上部には、左右一対のスピーカ装置１１が配設されている。
【００１９】
＜遊技機本体の背面側の構成＞
以下、図６および図７を参照して、パチンコ機１の背面側の構成を説明する。図６は、パチンコ機１の背面図、図７は、パチンコ機１を背面側から見た状態の斜視図である。
パチンコ機の背面側には、図６および図７に示すように、その上部に、遊技球を貯留する球タンク１２が設けられており、球タンク１２から上皿５及び下皿６へ至る遊技球流下路１３に遊技球を払い出す払出装置１４が設けてられている。
【００２０】
また、遊技盤５０の背面側に位置するようにして、主制御基板１００および表示制御基板２００が取り付けられている。主制御基板１００は、遊技に関する主たる制御を行う制御基板であり、表示制御基板２００、および発射・払出制御基板４００は、主制御基板１００の制御下に置かれる。表示制御基板２００は、後に詳述する画像表示装置における画像表示の制御を行う制御基板であり、画像表示装置の背面側に配設されている。
【００２１】
また、遊技盤５０の下側には、電源基板３００および発射・払出制御基板４００が取り付けられている。電源基板３００は、遊技機に供給される電源に関する基板であり、発射・払出制御基板４００は、遊技球の発射、供給、および払い出しに関する制御を行う制御基板である。
【００２２】
また、遊技機本体側には、主制御基板１００の右側に位置するようにして、２つの中継コネクタ１５ａ，１５ｂと、払出・発射制御基板４００にコネクタ１５ｃが、および遊技盤側には、主制御基板１００にコネクタ１５ｄが設けられている。
【００２３】
＜シールド部材＞
以下、図１〜図５を参照して、画像表示装置５４と表示制御基板２００との間に介在して電磁波を遮断するシールド部材２０を説明する。
図１は、画像表示装置５４、シールド部材２０、および表示制御基板２００の側面図、図２は、画像表示装置５４および表示制御基板２００の背面図、図３は、シールド部材２０の平面図、図４は、シールド部材２０の縦断面図、図５は、画像表示装置５４、シールド部材２０、および表示制御基板２００の分解斜視図である。
【００２４】
画像表示装置５４と表示制御基板２００との間には、図１、図２および図５に示すように、電磁波を遮断するシールド部材２０が取り付けられている。このシールド部材２０は、導電性プラスチックにより形成されており、画像表示装置５４および表示制御基板２００とは、後述する電気的接続部により電気的に接続されている。
【００２５】
シールド部材２０を形成する導電性プラスチックは、導電性を有していればどのようなプラスチックであってもよく、例えば、金属やカーボンの繊維または粉末を混入したプラスチック、ポリオレフィン系カーボン複合樹脂等を用いることができる。
本実施例では、カーボン粉末（カーボンブラック）を混入したポリプロピレン樹脂を用いている。
【００２６】
さらに、帯電防止効果を発揮させるためには、例えばＡＢＳ樹脂にリチウム塩を含有させたリチウム塩含有樹脂を用いることが好ましい。リチウム塩としては、塩化リチウム（ＬｉＣｌ）、フッ化リチウム（ＬｉＦ）、炭酸リチウム（Ｌｉ２ＣＯ３）、硫酸リチウム（Ｌｉ２ＳＯ４）等を使用することができる。
【００２７】
また、リチウム塩含有樹脂を使用してシールド部材２０を成型するには、リチウム塩を適宜な溶剤に分散し、この溶液を原料樹脂と混合して射出成型を行えばよい。溶剤としては、有機酸、硫酸、硝酸等の酸とアルコールとの化合物であるエステルを使用することができる。
【００２８】
具体的には、塩化リチウム（ＬｉＣｌ）をエステル系溶剤である酢酸エチルに溶解し、この溶液をＡＢＳ樹脂と混合して樹脂混合物を作成し、この樹脂混合物を射出成型することによりシールド部材２０を形成することができる。
【００２９】
また、このようなシールド部材２０では、リチウムイオン（Ｌｉ＋）の作用により静電気が大気中に放電され、樹脂の表面における静電気を除去することができるとともに、発生した静電気が樹脂等に蓄積されることがない。
【００３０】
また、シールド部材２０には、図１、図４および図５に示すように、表示制御基板２００を固定する複数の表示制御基板固定ボス部２１が形成されるとともに、図１に示すように、表示制御基板２００を裏面側から支持する複数の支え部材２２が形成されている。この表示制御基板固定ボス部２１が、表示制御基板２００とシールド部材２０を電気的に接続するための電気的接続部として機能する。
【００３１】
また、シールド部材２０には、図４および図５に示すように、表示制御基板固定ボス部２１の近傍に、表示制御基板２００を取り付ける際の位置決めを行う位置決め突起２３が形成されている。一方、表示制御基板２００には、図２および図５に示すように、シールド部材２０に設けた位置決め突起２３に対応する位置に、位置決め穴２０１が形成されている。
【００３２】
また、シールド部材２０の周辺部には、図２〜図５に示すように、シールド部材２０を遊技機本体に取り付ける複数の取付ボス部２４が形成されている。
さらに、シールド部材２０には、図１および図３〜図５に示すように、画像表示装置５４を固定する画像表示装置固定ボス部２５が形成されている。この画像表示装置固定ボス部２５が、画像表示装置５４の外側金属板とシールド部材２０を電気的に接続するための電気的接続部として機能する。
【００３３】
なお、表示制御基板固定ボス部２１、支え部材２２、位置決め突起２３、取付ボス部２４、および画像表示装置固定ボス部２５は、シールド部材２０を成型する際に一体的に形成される。
【００３４】
図５を参照して、シールド部材２０に対して、表示制御基板２００および画像表示装置５４を取り付ける手順を説明する。
シールド部材２０に対して表示制御基板２００を取り付けるには、表示制御基板２００に設けた位置決め穴２０１に、シールド部材２０に設けた位置決め突起２３を挿入して位置決めを行い、ネジ挿通孔２０２にネジ２０３を挿通し、ネジ２０３の先端部を表示制御基板固定ボス部２１に螺着すればよい。
こうすることで、シールド部材２０は、表示制御基板固定ボス部２１、ネジ２０３、位置決め突起２３を介して表示制御基板２００のＧＮＤパターン（アースパターン）に電気的に接続することとなる。
【００３５】
また、シールド部材２０に対して画像表示装置５４を取り付けるには、画像表示装置固定ボス部２５のネジ挿通孔２５ａにネジ２７を挿通し、ネジ２７の先端部を画像表示装置５４の外側金属板に螺着すればよい。
【００３６】
また、ネジ２０３を取り外すことにより、シールド部材２０から表示制御基板２００を取り外すことができ、ネジ２７を取り外すことにより、シールド部材２０から画像表示装置５４を取り外すことができる。
さらに、取付ボス部２４のネジ挿通孔２４ａにネジ（図示せず）を挿通して、ネジの先端を遊技機本体（実施例では、遊技機本体に取り付けられる後述のカバーケース２８）に螺着することにより、一体化されたシールド部材２０、画像表示装置５４、および表示制御基板２００を遊技機本体に取り付けることができる。
【００３７】
さらに、シールド部材２０の遊技機前面側（画像表示装置５４側）には、図３〜図５に示すように、複数の補強リブ２６が網目状に設けられている。この補強リブ２６は、シールド部材２０を成型する際に一体的に形成される。このように補強リブ２６を設けることにより、シールド部材２０の強度が増加し、画像表示装置５４および表示制御基板２００を強固に固定することができる。さらに、補強リブ２６により、シールド部材２０の表面積が増加するので、静電気を効率よく除去することができる。
【００３８】
また、図１および図２に示すように、表示制御基板２００の遊技機背面側には、表示制御基板２００に実装された複数の電子部品２０４を保護するための透明なカバーケース２８が取り付けられている。
【００３９】
＜遊技盤＞
フロントドア３の上部前面に取り付けられた遊技盤は、図８に示すように、その表面に一対のガイドレール５１で囲まれた略円形の遊技部５２を備えており、遊技部５２内には、複数の障害釘や風車等の障害部材５３が配設されるとともに、複数の特別図柄を変動表示するとともに演出画像を表示する画像表示装置５４と、普通図柄を変動表示する普通図柄表示部５５（画像表示装置５４において画像表示される）と、複数の入賞口と、いずれの入賞口にも入賞しなかった遊技球を遊技部５２内から排出するアウト口５６とが設けられている。
【００４０】
上記画像表示装置５４の周囲には、遊技盤５０の表面から立ち上がる枠体５７が設けられており、この枠体５７の下辺部分には、側方から飛び込んだ遊技球を一時滞留させ、その後この遊技球を後述する始動入賞口６２に流下させるステージ５８が設けられている。
【００４１】
＜入賞口＞
上記入賞口は、その機能によって複数種類に分かれており、遊技球が入賞したことを条件として所定数の賞球を排出する一般入賞口５９と、遊技球が通過したことを条件として、普通図柄表示部５５における普通図柄の変動表示を開始させる普通図柄始動口６０と、遊技球を受け入れ易い状態と、遊技球を受け入れ難い状態との間で切換可能な変動部材（以下、普通電動役物６１と称す）を有し、遊技球が入賞したことを条件として画像表示装置５４における特別図柄の変動表示を開始させる始動入賞口６２と、遊技球を受け入れ易い状態と、遊技球を受け入れ難い状態との間で切換可能となっており、画像表示装置５４における図柄の停止表示態様が所定の賞態様を構成した場合に、所定時間および所定回数だけ遊技球を受け入れ易い状態に切り換えられる大入賞口６３とからなる。
【００４２】
＜普通図柄始動口＞
上記普通図柄始動口６０は、始動入賞口６２の左上方に設けられており、通過する遊技球を検出するようになっている。この普通図柄始動口６０の通過球は、４個まで記憶可能となっており、この入賞記憶に基づいて、普通図柄表示部５５における図柄の変動表示が行なわれる。また、画像表示装置５４の右側上部には、普通図柄始動口６０の通過記憶個数を表示する４個の普通図柄記憶ＬＥＤ６４が設けられている。この普通図柄記憶ＬＥＤ６４の点灯個数により、普通図柄始動口６０の通過記憶個数を表示することができる。
【００４３】
＜始動入賞口＞
上記始動入賞口６２の左右には、遊技球を受け入れ易い状態と、遊技球を受け入れ難い状態との間で切換可能なチューリップ状の普通電動役物６１が設けられている。この普通電動役物６１は、通常の状態では遊技球を受け入れ難い状態となっており、普通図柄表示部５５において「当たり」となった場合に、所定時間（例えば、０．３秒間）だけ遊技球を受け入れ易い状態に切り換えられる。
【００４４】
また、始動入賞口６２への入賞球は、４個まで記憶可能となっており、この入賞記憶に基づいて、画像表示装置５４における図柄の変動表示が行なわれる。画像表示装置５４の上方には、始動入賞口６２への入賞記憶個数を表示する４個の特別図柄記憶ＬＥＤ６５が設けられている。この特別図柄記憶ＬＥＤ６５の点灯個数により、始動入賞口６２への入賞記憶個数を表示することができる。
【００４５】
＜入賞球等の流下路＞
以下、入賞球等の流下路について説明する。図１０は、主制御基板１００および表示制御基板２００を取り外した状態の遊技盤５０の背面図である。
遊技盤５０の背面側には、図１０に示すように、各入賞口５９，６２，６３（図８参照）への入賞球等の流下路を形成するとともに、大入賞口６３を駆動するソレノイド等をカバーする支持部材７０が取り付けられている。
【００４６】
本実施形態に係るパチンコ機の支持部材７０に設けられた入賞球等流下路７１は、各入賞口５９，６２，６３へ入賞した遊技球とアウト口５６へ取り込まれた遊技球とを合流させて流下させる構造となっており、遊技盤５０の正面側から見て左側（図１０において右側）に位置する一般入賞口５９，５９からの入賞球を流下させる左側入賞球流下路７１ａと、遊技盤５０正面側から見て右側に位置する一般入賞口５９，５９（図１０において左側）からの入賞球を流下させる右側入賞球流下路７１ｂとを有しており、左側入賞球流下路７１ａおよび右側入賞球流下路７１ｂの下端部において両流下路が合流する。また、入賞球等流下路７１の合流部には、大入賞口６３への入賞球の流下口およびアウト口５６が連通接続されており、遊技盤５０面上を流下する全ての遊技球を合流させて、遊技盤５０の背面側へ導くようになっている。
【００４７】
また、左側入賞球流下路７１ａおよび右側入賞球流下路７１ｂの下端部付近には、それぞれ遊技球を検知する左側入賞口スイッチ７２ａおよび右側入賞口スイッチ７２ｂが設けられている。また、普通図柄始動口６０への連通路には第１種始動口スイッチ７３が設けられており、大入賞口６３への連通路にはカウントスイッチ７４およびＶカウントスイッチ７５が設けられている。また、始動入賞口６２には、ゲートスイッチ７６が設けられている。なお、始動入賞口６２は、いわゆる通過ゲートとなっているため、始動入賞口６２への入賞球は、アウト口５６より入賞球等流下路７１へ取り込まれる。
【００４８】
さらに、左側入賞球流下路７１ａおよび右側入賞球流下路７１ｂには、各一般入賞口５９への入賞球を検知する入賞口スイッチ（図示せず）を取り付ける入賞口スイッチ取付部７７が設けられている。この入賞口スイッチ取付部７７に対して入賞口スイッチを取り付けることにより、パチンコ機の出荷検査時等において、各一般入賞口５９への入賞球を検知することができる。
【００４９】
＜画像表示装置＞
上記画像表示装置５４は、遊技部５２のほぼ中央に設けられた液晶表示装置からなり、画像で表現される複数の特別図柄を変動表示するとともに、遊技状態に対応したアニメーション表示を行うことにより、遊技演出を行うことができるようになっている。
【００５０】
画像表示装置５４に表示される特別図柄は、例えば「０」「１」「２」・・・「９」「１０」「１１」等の数字からなり、停止表示された数字の組み合わせが「０」「０」「０」、「７」「７」「７」等のように３個とも同一の数字となった場合を「大当たり」として、一般遊技と比較して遊技者に有利な特別遊技を行うことができる。
この特別遊技とは、例えば大入賞口６３を、所定時間および所定回数だけ遊技球を受け入れ易い状態に切り換えて、一般遊技よりも多くの遊技球を入賞させることにより、多くの賞球を獲得することができるような遊技である。
【００５１】
＜普通図柄表示部＞
上記普通図柄表示部５５は、画像表示装置５４内に画像として表示されるようになっている。この普通図柄表示部５５では、例えば２個の普通図柄が交互に点滅するようになっており、２個の普通図柄の点滅が終了して「当たり」が表示された場合に、始動入賞口６２に設けられた普通電動役物６１を、所定時間だけ遊技球を受け入れ易い状態に切り換えて、始動入賞口６２に遊技球を入賞させ易くする。
【００５２】
なお、普通図柄表示部５５は、上述した構成の他に、２個の普通図柄表示ＬＥＤを備えて構成することができ、また、例えば７セグメント表示器等により構成することもできる。この場合には、７セグメント表示器に表示する普通図柄として、例えば「０」「１」「２」・・・「７」「８」「９」等の数字を変動表示し、停止表示された数字が「３」あるいは「７」となった場合を「当たり」とする。
【００５３】
＜パチンコ機における遊技＞
上記パチンコ機１では、発射装置（図示せず）の発射ハンドル７を操作することにより、発射勢が調整された遊技球が遊技部５２内に弾発される。そして、遊技部５２内に発射された遊技球が、一般入賞口５９等に入賞すると、所定数（例えば１０個）の賞球を払い出す。
【００５４】
また、普通図柄始動口６０を遊技球が通過したことを条件として、普通図柄表示部５５における普通図柄の変動表示を開始させる。そして、乱数を用いた抽選により、普通図柄表示部５５における普通図柄の停止表示態様を決定し、この決定に基づいて普通図柄の変動表示を停止させる。
【００５５】
ここで、普通図柄表示部５５における普通図柄の停止表示態様が、「当たり」となると、始動入賞口６２に設けられた普通電動役物６１を所定時間（例えば、０．３秒間）だけ遊技球を受け入れ易い状態に切り換える。
【００５６】
また、始動入賞口６２に遊技球が入賞したことを条件として、画像表示装置５４における特別図柄の変動表示を開始させる。そして、乱数を用いた抽選により、画像表示装置５４における特別図柄の停止表示態様を決定し、この決定に基づいて特別図柄の変動表示を停止させる。
【００５７】
ここで、画像表示装置５４における特別図柄の停止表示態様が「大当たり」となると、大入賞口６３を所定時間（例えば３０秒）あるいは所定個数（例えば１０個）の入賞球を受け入れるまで開放する。また、大入賞口６３内には継続入賞口（図示せず）が設けられており、大入賞口６３内に入賞した遊技球が継続入賞口にも入賞すると、上述した大入賞口６３の開放が、所定回数（例えば１６回）に達するまで繰り返される。
【００５８】
＜他の実施形態＞
なお、上述した実施形態ではパチンコ機を例にとって説明を行ったが、本発明に係る遊技機はパチンコ機に限られるものではなく、画像表示装置と、該画像表示装置の背面側に取り付けられた表示制御基板とを備えるとともに、画像表示装置と表示制御基板との間に電磁波を遮断するシールド部材を配設した遊技機であればどのような遊技機にも適用することができ、例えばアレンジボール遊技機等にも適用することができる。
【００５９】
【発明の効果】
以上説明したように、本発明に係る遊技機は、画像表示装置と表示制御基板との間に電磁波を遮断する導電性プラスチックからなるシールド部材を配設し、シールド部材に対して、画像表示装置および表示制御基板を電気的に接続している。
このようにシールド部材を導電性プラスチックにより形成することにより、金属板により形成されたシールド部材と比較して、切り込み加工および曲げ加工等の作業を行う必要がないとともに、画像表示装置および表示制御基板を取り付けるためのボス部材を別途用意する必要がないため、製造コストを低減することが可能となる。
【００６０】
また、切り込み部が存在しないため、画像表示装置と表示制御基板との間で電磁波を確実に遮断することが可能となる。このため、画像表示装置と表示制御基板とが電磁的に干渉しあったり、外部からの電磁波の影響を受けて誤動作するおそれがない。
【図面の簡単な説明】
【図１】本発明の実施形態に係るパチンコ機に用いる画像表示装置、シールド部材、および表示制御基板の側面図
【図２】本発明の実施形態に係るパチンコ機に用いる画像表示装置および表示制御基板の背面図
【図３】本発明の実施形態に係るパチンコ機に用いるシールド部材の平面図
【図４】本発明の実施形態に係るパチンコ機に用いるシールド部材の縦断面図
【図５】本発明の実施形態に係るパチンコ機に用いる画像表示装置、シールド部材、および表示制御基板の分解斜視図
【図６】本発明の実施形態に係るパチンコ機の背面図
【図７】本発明の実施形態に係るパチンコ機を背面側から見た状態の斜視図
【図８】本発明の実施形態に係るパチンコ機の正面図
【図９】本発明の実施形態に係るパチンコ機の斜視図
【図１０】本発明の実施形態に係るパチンコ機において、主制御基板および表示制御基板を取り外した状態の遊技盤の背面図
【符号の説明】
１  パチンコ機
２  外枠
３  フロントドア
４  操作部
５  上皿
６  下皿
７  発射ハンドル
８  灰皿
９  操作パネル
１０  装飾枠
１１  スピーカ
１２  球タンク
１３  遊技球流下路
１４  払出装置
１５ａ，ｂ  中継コネクタ
１５ｃ，ｄ  コネクタ
１６  透明板
２０  シールド部材
２１  表示制御基板固定ボス部
２２  支え部材
２３  位置決め突起
２４  取付ボス部
２４ａ  ネジ挿通孔
２５  画像表示装置固定ボス部
２５ａ  ネジ挿通孔
２６  補強リブ
２７  ネジ
２８  カバーケース
５０  遊技盤
５１  ガイドレール
５２  遊技部
５３  障害部材
５４  画像表示装置
５５  普通図柄表示部
５６  アウト口
５７  枠体
５８  ステージ
５９  一般入賞口
６０  普通図柄始動口
６１  普通電動役物
６２  始動入賞口
６３  大入賞口
６４  普通図柄記憶ＬＥＤ
６５  特別図柄記憶ＬＥＤ
７０  支持部材
７１  入賞球等流下路
７１ａ  左側入賞球流下路
７１ｂ  右側入賞球流下路
７２ａ  左側入賞口スイッチ
７２ｂ  右側入賞口スイッチ
７３  第１種始動口スイッチ
７４  カウントスイッチ
７５  Ｖカウントスイッチ
７６  ゲートスイッチ
７７  入賞口スイッチ取付部
１００  主制御基板
２００  表示制御基板
２０１  位置決め穴
２０２  ネジ挿通孔
２０３  ネジ
２０４  電子部品
３００  電源基板
４００  発射・払出制御基板
【図１】
2004202087.tif 000003
【図２】
2004202087.tif 000004
【図３】
2004202087.tif 000005
【図４】
2004202087.tif 000006
【図５】
2004202087.tif 000007
【図６】
2004202087.tif 000008
【図７】
2004202087.tif 000009
【図８】
2004202087.tif 000010
【図９】
2004202087.tif 000011
【図１０】
2004202087.tif 000012